(57)【特許請求の範囲】
【請求項１】
防水領域と非防水領域との間に貫通孔を備えた携帯端末において、
前記貫通孔に挿入され、前記防水領域内の部品と前記非防水領域内の部品とを電気的に接続する略円柱形状の金属部材と、
前記金属部材の外周面に設けられ、前記貫通孔の内周面に接触するＯリングと、
前記金属部材の前記防水領域側端部に設けられた鍔部と、
前記金属部材の径方向に沿って前記鍔部に設けられた段差部と、
前記貫通孔の開口縁部から前記防水領域に突設され、前記段差部を案内する案内部と、を備え、
前記Ｏリングと前記鍔部との間の第１寸法よりも、前記案内部の基端部から先端部までの第２寸法が大きい電子機器。
【請求項２】
請求項１に記載の電子機器において、
前記鍔部の径方向に沿った対称位置に一対設けられた凹部を備える電子機器。
【請求項３】
請求項２に記載の電子機器であって、
前記段差部が前記凹部と同形状である電子機器。
【請求項４】
請求項３に記載の電子機器であって、
前記段差部における前記金属部材側の縁部に傾斜面が設けられている電子機器。
【請求項５】
請求項１または請求項２に記載の電子機器であって、
前記金属部材の前記鍔部に接続された板金部材を有し、
前記板金部材が、
前記鍔部の前記一対の凹部に係合し、かつ、前記鍔部の天面の少なくとも一部を覆う被覆部と、
前記被覆部に連結され、前記鍔部の側面の近傍において接地する接地部と、を備える電子機器。
【発明の詳細な説明】
【技術分野】
【０００１】
本発明は、防水機能を有し、防水領域内部の電子部品と非防水領域の部品とを電気的に接続した電子機器に関するものである。
【背景技術】
【０００２】
従来より、締結する際に回転を防止するナット部材が知られている（例えば、特許文献１参照）。
特許文献１に記載のナット部材には、軸方向に突出する回転防止用の突起が設けられている。
このようなナット部材を、防水領域内部の電子部品と非防水領域の部品との電気的接続に用いる場合、防水性を得るためにナット部材の側面にＯリングを設ける場合がある。
【先行技術文献】
【特許文献】
【０００３】
【特許文献１】実開平２−１５０６６６号公報（第２図）
【発明の概要】
【発明が解決しようとする課題】
【０００４】
しかしながら、前述したように、ナット部材にＯリングを設けた場合、ナット部材が最終的な位置に収まる前に、Ｏリングが挿入孔の内周面に対して摺接を開始する場合がある。このため、Ｏリングが摺接抵抗となってナット部材を正規の位置に位置決めしにくいという問題があった。
【０００５】
本発明は、従来の問題を解決するためになされたもので、ナット部材等の金属部材の外周面に防水のためのＯリングが設けられていても、金属部材を貫通孔に対して正規の位置、状態に挿入できる電子機器を提供することを目的とする。
【課題を解決するための手段】
【０００６】
本発明の電子機器は、防水領域と非防水領域との間に貫通孔を備えた携帯端末において、前記貫通孔に挿入され、前記防水領域内の部品と前記非防水領域内の部品とを電気的に接続する略円柱形状の金属部材と、前記金属部材の外周面に設けられ、前記貫通孔の内周面に接触するＯリングと、前記金属部材の前記防水領域側端部に設けられた鍔部と、前記金属部材の径方向に沿って前記鍔部に設けられた段差部と、前記貫通孔の開口縁部から前記防水領域に突設され、前記段差部を案内する案内部と、を備え、前記Ｏリングと前記鍔部との間の第１寸法よりも、前記案内部の基端部から先端部までの第２寸法が大きいものである。
【０００７】
また、本発明の電子機器は、前記鍔部の径方向に沿った対称位置に一対設けられた凹部を備えたものである。
【０００８】
また、本発明の電子機器は、前記段差部が前記凹部と同形状であるものである。
【０００９】
また、本発明の電子機器は、前記段差部における前記金属部材側の縁部に傾斜面が設けられたものである。
【００１０】
さらに、本発明の電子機器は、前記金属部材の前記鍔部に接続された板金部材を有し、前記板金部材が、前記鍔部の前記一対の凹部に係合し、かつ、前記鍔部の天面の少なくとも一部を覆う被覆部と、前記被覆部に連結され、前記鍔部の側面の近傍において接地する接地部と、を備えるものである。
【発明の効果】
【００１１】
本発明は、ナット部材におけるＯリングと鍔部との間の第１寸法よりも、壁部における案内部の基端部から先端部までの第２寸法を大きくしたので、貫通孔にナット部材を挿入する際に、貫通孔の内周面にＯリングが接触するよりも先に案内部が段差部に係合する。このため、ナット部材の周面にＯリングが設けられていても、ナット部材を貫通孔に対して正規の位置、状態に挿入できるという効果を有する電子機器を提供できる。
【図面の簡単な説明】
【００１２】
【図１】本発明に係る第１実施形態の電子機器の分解斜視図
【図２】回路基板とアンテナ部材との接合を示す分解斜視図
【図３】金属部材であるナット部材が筐体の貫通孔に嵌合される状態を示す分解斜視図
【図４】ナット部材および貫通孔の断面図
【図５】Ｏリングが貫通孔に接触する前に鍔部がガイド柱により案内される状態を示す断面図
【図６】回路基板とアンテナ部材とがナット部材を介して電気的に接続された状態を示す断面図
【図７】本発明に係る第２実施形態の電子機器におけるアンテナ部材取付部分の分解斜視図
【図８】アンテナ部材取付部分の拡大分解斜視図
【図９】アンテナ部材取付部分の拡大斜視図
【図１０】（Ａ）はナット部材と板金部材の分解斜視図であり、（Ｂ）は（Ａ）中Ｂ−Ｂ位置の断面図
【図１１】図９中ＸＩ−ＸＩ位置の断面図
【図１２】ナット部材および案内部の変形例を示す斜視図
【発明を実施するための形態】
【００１３】
（第１実施形態）
以下、本発明に係る第１実施形態の電子機器について、図面を用いて説明する。
図１に示すように、本発明に係る第１実施形態の電子機器１０は例えば携帯端末であり、ケース２１とカバー２２とで、略矩形箱状に形成される筐体２０を有する。
ケース２１は、矩形のベースプレート２３と、ベースプレート２３の外周辺に沿って設けられている縦壁２４を有する。また、カバー２２は、矩形板状の部材であり、ケース２１の縦壁２４の上端部（図１において上端部）に水密性を有する状態で取り付けられる。
従って、ケース２１とカバー２２とで形成される内部空間が防水領域１１であり、筐体２０の外側が非防水領域１２となる。
【００１４】
図１および図２に示すように、筐体２０の内部空間には回路基板２５が取り付けられる。回路基板２５には、回路基板２５の下面（図１中下面）から下方へ突出する板ばね状の接点部材２５１（図６参照）が設けられている。
また、ケース２１のベースプレート２３の外面２３２には、携帯端末用のアンテナ部材２６が取り付けられる。アンテナ部材２６は、棒状のアンテナ本体２６１と、アンテナ本体２６１の基端部に設けられた板状の取付板２６２を有する。取付板２６２の中央には、ねじ孔２６３が設けられている。
防水領域１１の回路基板２５と非防水領域１２のアンテナ部材２６とは、詳細を後述する金属部材であるナット部材３０を介して電気的に接続される。
【００１５】
筐体２０の隅部であるケース２１のベースプレート２３の内面２３１隅部には、防水領域１１と非防水領域１２とを区画する壁部４０が設けられており、壁部４０およびベースプレート２３を貫通する貫通孔４１が設けられている。
従って、貫通孔４１の周囲は全周に亘って壁部４０により囲まれており、貫通孔４１は、防水領域１１である筐体２０の内部空間と、非防水領域１２である筐体２０の外側とを連通する。
【００１６】
図３に示すように、貫通孔４１の開口縁部である壁部４０の上面４０１（図３において上面）には、貫通孔４１を挟んで対称位置に、防水領域１１側（ケース２１内面側）へ突出する一対の案内部としてのガイド柱４２，４２が設けられている。
ガイド柱４２は、例えば矩形断面の柱状部材とすることができる。ここで、ガイド柱４２の基端部４２１から先端部４２２までの高さ（第２寸法）をＨ２とする。
【００１７】
図３に示すように、ナット部材３０は、貫通孔４１に挿通可能な外形を有する略円柱形状の本体部３１と、本体部３１の上端に設けられて貫通孔４１の外径より大きな外径の鍔部３２とを有する。
鍔部３２には、対称位置に一対の段差部３５，３５が設けられている。段差部３５は、外周縁から径方向内側に凹んで形成されており、壁部４０に設けられているガイド柱４２に嵌合することにより、回転防止して摺動可能となっている。段差部３５におけるナット部材３０側の縁部、すなわち、鍔部３２の下面３２１における段差部３５の基端部には、傾斜面３５１が設けられている（図４参照）。
【００１８】
また、鍔部３２の外周縁には、一対の段差部３５，３５の間に、一対の凹部３６，３６を設けるのが望ましい。この凹部３６は、ナット部材３０を取り付ける際に、ナット部材３０を挟持するピンセット等の工具の先端が嵌合可能な大きさおよび形状を有する。
なお、凹部３６の大きさおよび形状を、段差部３５と同様に形成するのが望ましい。これにより、段差部３５と凹部３６とを区別する必要がなくなり、ナット部材３０の回転向きの自由度が増すので作業性が向上する。
【００１９】
図４に示すように、本体部３１には、全周に亘って例えば矩形断面の溝３３が形成されており、溝３３には、Ｏリング３４が取り付けられる。Ｏリング３４は、一部が本体部３１の外周面３１１から外側へ突出するように取り付けられており、溝３３内部に収容されるような弾性変形が可能となっている。
【００２０】
ここで、Ｏリング３４の下端部と鍔部３２の下面３２１との間の寸法である第１寸法Ｈ１を、ガイド柱４２の基端部４２１から先端部４２２までの寸法である第２寸法Ｈ２よりも小さく設定する。
また、本体部３１の底面３１２には、アンテナ部材２６取付用のねじ孔３７が設けられている。このねじ孔３７は、鍔部３２を貫通しない長さで設けられている。
【００２１】
次に、回路基板２５とアンテナ部材２６との接続作業について説明する。なお、回路基板２５は、予めベースプレート２３に取り付けられている。
まず、図３に示すように、ナット部材３０を筐体２０の貫通孔４１に取り付ける。このとき、ピンセット等の工具の先端で鍔部３２の凹部３６を把持して、ナット部材３０の段差部３５が、貫通孔４１の外周に設けられているガイド柱４２に対応するように、回転方向の位置決めをする。
なお、段差部３５と凹部３６とを同形状に形成しているので、ピンセット等で段差部３５を把持し、凹部３６をガイド柱４２に対応するように位置決めすることもできる。
【００２２】
そして、ナット部材３０の本体部３１を貫通孔４１に挿嵌すると、ガイド柱４２の先端部４２２がナット部材３０の段差部３５に嵌合する。このとき、ナット部材３０におけるＯリング３４と鍔部３２との間の第１寸法Ｈ１よりも、壁部４０におけるガイド柱４２の基端部４２１から先端部４２２までの第２寸法Ｈ２のほうが大きいので、まず、ガイド柱４２が段差部３５に係合して回転方向の案内を開始する（図５に示す状態）。
その後、ナット部材３０をさらに貫通孔４１に押し込むと、Ｏリング３４が貫通孔４１の内周面４１１に接触する。このとき、Ｏリング３４は弾性力により貫通孔４１の内面に押し付けられるので、水密性を確保できる。
【００２３】
そして、図６に示すように、ナット部材３０の鍔部３２の下面３２１が、壁部４０の上面４０１に当接するまで、ナット部材３０を押し込む。ナット部材３０は、Ｏリング３４の弾性力により，貫通孔４１の内面に固定される。これにより、ナット部材３０の底面３１２が、回路基板２５の接点部材２５１を弾性変形させて接触する。
次いで、固定ビス２７をアンテナ部材２６の取付板２６２のねじ孔２６３に挿通し、さらに固定ビス２７をナット部材３０のねじ孔３７に締結して、アンテナ部材２６をナット部材３０に固定する。
【００２４】
これにより、非防水領域１２のアンテナ部材２６と、防水領域１１の回路基板２５とが、電気的に接続される。
このとき、ナット部材３０の底面３１２とアンテナ部材２６の取付板２６２との間に、わずかに隙間Ｇが設けられるようにするのが望ましい。
これにより、固定ビス２７を締め付けた際に、取付板２６２がナット部材３０側に弾性変形するので、アンテナ部材２６を確実に取り付けることができる。また、取付板２６２の弾性力が、ナット部材３０を壁部４０の上面４０１に押し付ける方向に付勢するので、ナット部材３０が貫通孔４１から脱落するのを確実に防止できる。
【００２５】
以上、説明した本発明に係る第１実施形態の電子機器１０によれば、防水領域１１と非防水領域１２とを区画する筐体２０の壁部４０に設けられた貫通孔４１にナット部材３０を挿嵌し、固定ビス２７によりアンテナ部材２６をナット部材３０の非防水領域１２側に取り付ける。防水領域１１の回路基板２５に設けられている接点部材２５１が、ナット部材３０の防水領域１１側端部に接触するので、アンテナ部材２６は固定ビス２７、ナット部材３０および接点部材２５１を介して回路基板２５に電気的に接続される。
このとき、ナット部材３０が略円柱形状であるため、従来の多角柱形状のナット部材のように、貫通孔４１の内面に対して食い付き等が生じず、誤挿入の虞がない。
【００２６】
また、ナット部材３０の防水領域１１側端部には鍔部３２が設けられており、この鍔部３２には，ナット部材３０の径方向に沿って段差部３５が設けられている。さらに、ナット部材３０の外周面３１１には、壁部４０の貫通孔４１の内周面４１１に接触するＯリング３４が設けられている。
一方、壁部４０には、段差部３５を案内するガイド柱４２が、貫通孔４１の開口縁部から防水領域１１に突設されている。
【００２７】
そして、ナット部材３０におけるＯリング３４と鍔部３２との間の第１寸法Ｈ１よりも、壁部４０におけるガイド柱４２の基端部から先端部までの第２寸法Ｈ２のほうを大きく設定している。このため、貫通孔４１にナット部材３０を挿入する際に、貫通孔４１の内周面４１１にＯリング３４が接触するよりも先に、ガイド柱４２が段差部３５に係合して案内を開始することになる。
これにより、従来のように、ナット部材３０の外周面３１１にＯリング３４が設けられていても、ナット部材３０を貫通孔４１に対して正規の位置、状態に挿入できる。
【００２８】
また、本発明の電子機器１０では、鍔部３２の径方向に沿った対称位置に設けられた凹部３６に、ピンセット等の工具の先端を嵌合して容易にナット部材３０を挟持でき、貫通孔４１に挿入および回転等して取り付けることができる。
【００２９】
また、本発明の電子機器１０では、凹部３６をピンセット等の工具で挟持し、段差部３５に壁部４０のガイド柱４２を嵌合させてナット部材３０を貫通孔４１に取り付ける。この際に、ピンセット等がガイド柱４２に干渉しないので、容易にナット部材３０を取り付けることができる。
また、段差部３５と凹部３６とが同形状であるので、ピンセット等で段差部３５を挟持し、凹部３６に壁部４０のガイド柱４２を嵌合させて案内することもできる。このため、ナット部材３０の回転位置にかかわらず，ナット部材３０を容易に貫通孔４１に取り付けることができる。
【００３０】
さらに、本発明の電子機器１０では、段差部３５におけるナット部材３０側の縁部に傾斜面３５１が設けられているので、貫通孔４１の形状に応じて筐体２０の壁部４０に係合しやすくなる。
【００３１】
（第２実施形態）
次に、本発明に係る第２実施形態の電子機器について、図面を用いて説明する。
なお、前述した第１実施形態に係る電子機器１０と共通する部位には同じ符号を付して、重複する説明を省略することとする。
図７および図８に示すように、本発明に係る第２実施形態の電子機器１０Ｂでは、ナット部材３０の鍔部３２に、板金部材５０が取り付けられて接続される。
【００３２】
図９にも示すように、板金部材５０は、アンテナ部材２６を固定するとともに電気的に接続される金属部材であるナット部材３０と、回路基板２５とを電気的に接続するとともに、回路基板２５等を接地するための部材である。
図１０（Ａ）に示すように、板金部材５０は、ナット部材３０に取り付けられる被覆部５１と、ナット部材３０と回路基板２５を電気的に接続する接続部５２と、接地する接地部５３とを有する。
【００３３】
被覆部５１は、鍔部３２の天面３２２の少なくとも一部を覆う天板５１１と、天板５１１から折曲げ形成されて、鍔部３２の凹部３６に嵌合して位置決めおよび固定するための一対の脚部５１２を有する。
なお、段差部３５を凹部３６と同様に形成することにより、脚部５１２を段差部３５に嵌合することもできる。これにより、ナット部材３０の組み込み時に方向規制がなくなるので、組み立て効率の向上を図ることができる。
【００３４】
脚部５１２の少なくとも一つは、下端部から上方へＵ字状に折り返されて、接地部５３が形成されている。接地部５３は、先端（上端）が外側へ開くように形成されており、ばね状に形成されている。図１０（Ｂ）に示すように、接地部５３は、ナット部材３０の鍔部３２の側面３２３に対向する位置にあり、鍔部３２の側面３２３の近傍において接地する（図１１参照）。
図１０（Ｂ）に示すように、板金部材５０は、鍔部３２の天面３２２に板金部材５０の板厚Ｔを加えた位置Ｐよりも上方に突出しないように設けられる。
これにより、図１１に示すように、板金部材５０がカバー２２側に当接しないので、カバー２２の取付けを阻害しない。
【００３５】
以上、説明した本発明に係る第２実施形態の電子機器１０Ｂによれば、板金部材５０は、鍔部３２の一対の凹部３６に係合し、かつ、鍔部３２の天面３２２の一部を覆う被覆部５１を有する。このため、板金部材５０をナット部材３０の所定位置に確実に取り付けることができる。
また、板金部材５０には、被覆部５１に連結されて、鍔部３２の側面３２３の近傍において接地する接地部５３を設けたので、ナット部材３０の軸方向寸法を従来よりも小さくすることができ、電子機器１０Ｂの小型化・薄型化を図ることができる。
【００３６】
なお、本発明の電子機器は、前述した各実施形態に限定されるものでなく、適宜な変形，改良等が可能である。
例えば、前述した各実施形態においては、ナット部材３０の鍔部３２に、径方向内側に凹んだ段差部３５と凹部３６とを設けた場合を例示した。これに代わって、図１２に示すナット部材３０Ｂのように、鍔部３２Ｂに、段差部として径方向外側へ突出する一対の突出部３８，３８を設けることができる。そして、案内部４３として、柱状の案内柱４３１と、逆Ｌ字形状の係止部４３２とを設ける。
【００３７】
このように構成することにより、金属部材であるナット部材３０Ｂを取り付ける際には、まず、突出部３８を案内柱４３１に沿って矢印Ａ方向に挿入する。そして、壁部４０の上面４０１に沿って突出部３８を矢印Ｂ方向へ移動させて突出部３８を係止部４３２で係止する。
これにより、ナット部材３０Ｂを貫通孔４１に固定することができる。
【００３８】
また、前述した各実施形態では立壁を有する矩形のベースプレートと矩形板状のケースとで構成する防水形状にて説明したが、立壁を有する矩形のベースプレート同士で、この立壁の上端部に配置したパッキン等を、ベースプレート間に挟み込むことで水密性を有する防水形状でも同様の効果を有する。また、上記の形態は矩形に限らず、正方形や円形でも同様の効果を有する。
【産業上の利用可能性】
【００３９】
本発明は、防水機能を有し、防水領域内部の電子部品と非防水領域の部品とを電気的に接続した電子機器への適用に好適である。
【符号の説明】
【００４０】
１０、１０Ｂ  電子機器
１１  防水領域
１２  非防水領域
２０  筐体
２５  回路基板
２５１  接点部材
２６  アンテナ部材
２７  固定ビス
３０  ナット部材（金属部材）
３１１  外周面
３２，３２Ｂ  鍔部
３２２  天面
３２３  側面
３４  Ｏリング
３５  段差部
３５１  傾斜面
３６  凹部
３８  突出部（段差部）
４０  壁部
４１  貫通孔
４１１  内周面
４２  ガイド柱（案内部）
４２１  基端部
４２２  先端部
４３  案内部
５０  板金部材
５１  被覆部
５３  接地部
Ｈ１  第１寸法
Ｈ２  第２寸法
【図１】
0005258125.tif 000002
【図２】
0005258125.tif 000003
【図３】
0005258125.tif 000004
【図４】
0005258125.tif 000005
【図５】
0005258125.tif 000006
【図６】
0005258125.tif 000007
【図７】
0005258125.tif 000008
【図８】
0005258125.tif 000009
【図９】
0005258125.tif 000010
【図１０】
0005258125.tif 000011
【図１１】
0005258125.tif 000012
【図１２】
0005258125.tif 000013